(57)【特許請求の範囲】
【請求項１】
クラウン部分およびソール部分を含むクラブヘッドボディであって、
該ソール部分が、そこを通る穿孔と、該クラブヘッドボディの該ソール部分に設置された該穿孔を通ってクラブヘッドボディ内に延びる穿孔インサートとを含み、
該クラブヘッドボディが、該穿孔インサートに係合するポストをさらに含み、
該ポストが、第一の端部および該第一の端部とは反対側の第二の端部を有し、
該ポストが該クラブヘッドボディに挿入される場合に、該第一の端部が該穿孔インサートを通って挿入され、かつ該ポストの該第二の端部が該穿孔インサートに係合しかつ該ソール部分と実質的に同一平面になるかまたはその中に差し込まれ、
該ポストの該第二の端部が外部ねじ山を含み、
該穿孔インサートが、該ポストが該クラブヘッドボディに挿入される場合に該ポストの該外部ねじ山に解放可能に係合する、内部ねじ山を含み、
さらに、該クラブヘッドボディが、該クラブヘッドボディの該クラウン部分のところにまたは該クラブヘッドボディの該クラウン部分に隣接して設置された、クラウン支持体であって、該ポストの様々な長さを該クラブヘッドボディ内に収容することを可能にするように、種々の異なる力を加えることを可能にするように、かつ該クラウン支持体内で該ポストが移動するかまたは音を立てて揺れることを防止するのに役立つように、該クラウン支持体に設けられた圧縮性材料を含む、該クラウン支持体を含む、
クラブヘッドボディ；
該クラブヘッドボディに係合するかまたはその一部として一体的に形成される打球面；および
該クラブヘッドに係合するかまたはその少なくとも一部分と一体的に形成されるホーゼル部材を含む、ゴルフクラブヘッドであって、
該ポストが、該ポストに沿って設置されるウェイトを含み、かつ
該ポストが外部ねじ山を含み、該ウェイトが内部ねじ山を含み、該ポストの該第一の端部と該第二の端部との間の該ポストの縦方向長さに沿った該ウェイトの移動を可能にするように、該ウェイトが該ポストに螺合可能に係合し、
ゴルフボールを該クラブヘッドで打つときに該クラブヘッドにより生成される音の改変を可能にするように、該ウェイトが該ポストに対して移動可能である、
前記ゴルフクラブヘッド。
【請求項２】
ポストの外部ねじ山が、第一の端部に設置されており、ポストがクラブヘッドボディに挿入される場合に前記クラウン支持体に設置された内部ねじ山に係合する、請求項1記載のゴルフクラブヘッド。
【請求項３】
クラブヘッドボディが第二のポストをさらに含み、
ソール部分が、そこを通る第二の穿孔と、該第二の穿孔を通って該クラブヘッドボディ内に延びる第二の穿孔インサートとを含み、
該第二のポストが該第二の穿孔インサートに係合し、
該第二のポストが第一の端部および該第一の端部とは反対側の第二の端部を有し、
該第二のポストが該クラブヘッドボディに挿入される場合に、該第一の端部が該第二の穿孔インサートを通って挿入され、かつ該第二のポストの該第二の端部が該第二の穿孔インサートに係合しかつ該ソール部分と実質的に同一平面になるかまたはその中に差し込まれる、請求項1記載のゴルフクラブヘッド。
【請求項４】
クラブヘッドボディが第三のポストをさらに含み、
ソール部分が、そこを通る第三の穿孔と、該第三の穿孔を通って該クラブヘッドボディ内に延びる第三の穿孔インサートとを含み、
該第三のポストが該第三の穿孔インサートに係合し、
該第三のポストが第一の端部および該第一の端部とは反対側の第二の端部を有し、
該第三のポストが該クラブヘッドボディに挿入される場合に、該第一の端部が該第三の穿孔インサートを通って挿入され、かつ該第三のポストの該第二の端部が該第三の穿孔インサートに係合しかつ該ソール部分と実質的に同一平面になるかまたはその中に差し込まれる、請求項3記載のゴルフクラブヘッド。
【請求項５】
ポストがクラブヘッドボディの略中心に設置される、請求項1記載のゴルフクラブヘッド。
【請求項６】
ポストが、打球面側とは反対側のクラブヘッドの背面の近くに設置される、請求項1記載のゴルフクラブヘッド。
【請求項７】
ゴルフボールが打球面に接触するときにクラブヘッドボディから発せられる音を改変するように、該クラブヘッドボディの内側に延びるポストの長さが選択的に変えられる、請求項1記載のゴルフクラブヘッド。
【請求項８】
第二のポストをさらに含む前記ゴルフクラブヘッドであって、
該第二のポストの断面形状が前記ポストの断面形状と異なり、
ゴルフボールが打球面に接触するときにクラブヘッドボディから発せられる音が、該ポストを該第二のポストで交換することにより改変される、請求項1記載のゴルフクラブヘッド。
【請求項９】
ポストが円形の断面を有する、請求項8記載のゴルフクラブヘッド。
【請求項１０】
ポストが長方形の断面を有する、請求項8記載のゴルフクラブヘッド。
【請求項１１】
ポストが三角形の断面を有する、請求項8記載のゴルフクラブヘッド。
【請求項１２】
ポストの第一の端部がクラブヘッドボディのクラウンに延びる、請求項1記載のゴルフクラブヘッド。
【請求項１３】
ポストが、チタン金属、チタン合金、アルミニウム、アルミニウム合金またはポリマー材料の群より選択される材料で作製される、請求項1記載のゴルフクラブヘッド。
【請求項１４】
第二のポストをさらに含む前記ゴルフクラブヘッドであって、
該第二のポストの材料が前記ポストの材料と異なり、
ゴルフボールが打球面に接触するときにクラブヘッドボディから発せられる音が、該ポストを該第二のポストで交換することにより改変される、請求項13記載のゴルフクラブヘッド。
【請求項１５】
ポストが、クラブヘッドボディのクラウン部分に延びかつそれに対して押し縮められる第一の端部のゴム先端を含み、該ゴム先端の該クラブヘッドボディの該クラウン部分に対する延伸および圧縮が、該クラウン部分により発せられる周波数を弱めることによって、クラブヘッドより発せられる音を変化させる、請求項1記載のゴルフクラブヘッド。
【請求項１６】
ウェイトがタングステンウェイトである、請求項1記載のゴルフクラブヘッド。
【請求項１７】
請求項１〜１６のいずれか一項記載のクラブヘッド；
該クラブヘッドに係合するかまたはその一部として一体的に形成される打球面；
該クラブヘッドに係合するかまたはその少なくとも一部分と一体的に形成されるホーゼル部材；および
該ホーゼル部材において該クラブヘッドに係合するシャフトを含む、ゴルフクラブ。
【発明の詳細な説明】
【技術分野】
【０００１】
発明の分野
本発明は概して、ゴルフボールを打つときにゴルフクラブおよびゴルフクラブヘッドに関連する「音」の様相を、ユーザ、クラブフィッタ、クラブ製造者などが選択的に制御し、変化させかつカスタマイズすることを可能にする、ゴルフクラブおよびゴルフクラブヘッドに関する。
【背景技術】
【０００２】
背景
ゴルフは、多種多様なプレーヤ、すなわち異なる性別ならびに劇的に異なる年齢および熟練度レベルのプレーヤによって楽しまれている。ゴルフは、そのような多様なプレーヤの集まりがゴルフのイベントで互いに直接競いながらいっしょにプレーし（たとえば、ハンデ付きのスコア、異なるティーボックスなどを使用して）、なおもゴルフのラウンドまたは競技を楽しむことができるという点で、スポーツの世界ではいくぶんユニークである。これらの要因が、テレビにおけるゴルフ番組（たとえばゴルフトーナメント、ゴルフニュース、ゴルフの歴史および／または他のゴルフ番組）の増加および著名なゴルフスーパースターの出現と相まって、少なくとも部分的に、近年、米国および世界中でのゴルフ人気を高めた。
【０００３】
すべての熟練度レベルのゴルファーは、パフォーマンスを改善し、ゴルフスコアを良くし、その次のパフォーマンス「レベル」に到達しようとする。すべてのタイプのゴルフ用具の製造者はこれらの要求に応え、近年、ゴルフ用具における劇的な変化および改良を見た。たとえば、今や、広い範囲の異なるゴルフボールモデルが利用可能であり、一部のボールは、より遠く、よりまっすぐに飛び、より高いまたはよりフラットな弾道を提供し、より多くのスピン、コントロールおよび感触（特にグリーン周りの）を提供するなどのように設計されている。
【０００４】
プレー中にゴルフボールを動かす唯一の道具であることから、ゴルフクラブもまた、近年、多大な技術的研究および進歩の対象であった。たとえば、市場は、近年、ゴルフクラブヘッド、シャフトおよびグリップにおける改良を見てきた。さらには、ゴルフクラブの様々な要素およびゴルフボールの特性を特定のユーザのスイング特徴または特性により良く適合させようとして、他の技術的進歩が達成されてきた（たとえばクラブフィッティング技術、ボール打ち出し角計測技術など）。
【０００５】
ゴルファーは、ゴルフクラブの「感触」に対して敏感である傾向にある。ゴルフクラブの「感触」は、クラブの様々なコンポーネント部分と、ボールを狙うおよび／または打つときにプレーヤが経験する知覚的感覚を生むクラブに関連する様々な特徴との組み合わせを含む。クラブウェイト、ウェイト配分、空気力学、スイングスピードなどがすべて、スイングしてボールを打つときのクラブの「感触」に影響しうる。「感触」は、クラブヘッドがボールを打ってボールを動かすときに生じる音に関連することもわかっている。クラブヘッドが衝突時に、不快な、望ましくない、または驚かせる音を出す場合、ユーザはたじろぐか、彼／彼女のスイングをやめるか、またはスイングを減速させることがあり、これによってスイングの距離、方向、および／または他のパフォーマンスの様相、ならびに得られるボールの動きが影響を受ける。この不快な、望ましくない、または驚かせる音をユーザが予想することが、ボールを打つ前であってもスイングに影響することがある。
【０００６】
ゴルフクラブの「感触」の様相に関するすべてのゴルファーの嗜好および好みは異なっている。言い換えれば、許容されるゴルフクラブの「感触」を与えることは、「一つのサイズで全員にフィットする」ものを提示することではない。したがって、ユーザの特定の好み、趣味、および／またはスイング特性に合うようにユーザがクラブの「感触」の様々な様相を変化させ、制御しかつカスタマイズすることを可能にする、ウッドタイプゴルフクラブヘッドおよび／またはクラブを含むゴルフクラブヘッドおよび／またはゴルフクラブを提供することが有利である。いくつかの場合、ユーザの特定の嗜好、趣味、および／またはスイング特性に合うように、ボールを打つときにクラブヘッドから発せられる音をユーザが変化させ、制御しかつカスタマイズすることを可能にする、ウッドタイプゴルフクラブヘッドおよび／またはクラブを含むゴルフクラブヘッドおよび／またはゴルフクラブを提供することが特に有利である。
【発明の概要】
【０００７】
概要
以下、本発明の少なくともいくつかの局面の基本的理解を提供するために、本発明の局面の概要を提示する。この概要は本発明の広範な概観となることを意図していない。発明の主要または重要な要素を特定することを意図したものでもなく、本発明の範囲を限定することを意図したものでもない。以下の概要は、本発明のいくつかの概念を、以下に提供される詳細な説明への前置きとして一般的な形態で提示するだけである。
【０００８】
本発明の局面は、（a）クラブヘッドボディ、（b）クラブヘッドボディに係合するかまたはその一部として一体的に形成される打球面、および（c）クラブヘッドに係合するかまたはその少なくとも一部分と一体的に形成されるホーゼル部材を含む、ゴルフクラブおよびゴルフクラブヘッドに関する。クラブヘッドボディは、クラウン部分およびソール部分を含む。ソール部分は、クラブヘッドボディ内に延びる穿孔インサートを含む。クラブヘッドボディは、穿孔インサートに場合によって摺動可能に係合するポストをさらに含む。ポストは、第一の端部、および第一の端部とは反対側の第二の端部を有しており、ポストがクラブヘッドボディ内に摺動するとき、第一の端部は穿孔インサートに挿入され、かつポストの第二の端部はソール部分と実質的に同一平面になるかまたはその中に差し込まれる。さらに、ポストは外部ねじ山を含みうるものであり、穿孔インサートは内部ねじ山を含みうる。ポストがクラブヘッドボディに挿入されるとき、ポストの外部ねじ山は穿孔インサートの内部ねじ山に係合しうる。さらに、本発明にしたがって、ゴルフボールが打球面に接触するときにクラブヘッドボディから発せられる音を改変するように、クラブヘッド、具体的にはポストの種々の特徴が変えられうる。たとえば、ゴルフボールが打球面に接触するときにクラブヘッドボディから発せられる音を改変するように、ポストの長さが選択的に変えられうる。別の例として、ゴルフボールが打球面に接触するときにクラブヘッドボディから発せられる音を改変するように、ポストの断面形状が選択的に変えられうる。ポストはたとえば円形の、長方形の、三角形のまたは平らな断面を有しうる。さらに別の例として、ゴルフボールが打球面に接触するときにクラブヘッドボディから発せられる音を改変するように、ポストの材料が選択的に変えられうる。さらにまたはあるいは、望むならば、ポストは、ポストに沿って設置されたウェイトを含みうるものであり、ゴルフボールが打球面に接触するときにクラブヘッドボディから発せられる音を改変するように、ポストに沿ったウェイトの場所が選択的に変えられうる。ウェイトは内部ねじ山を含みうるものであり、ウェイトは、ポストの第一の端部から第二の端部に移動するようにポストに螺合可能に係合する。ポストは、その縦方向長さなどに沿って中空、中実、部分中空でありうる。なおさらなる例として、ボールを打つときにクラブヘッドにより生成される音を改変するように、ポストの締付力（またはそれがクラブヘッドボディのクラウン部分および／またはソール部分に加える力）が選択的に変えられうる。
【０００９】
本発明のさらなる局面は、（a）クラブヘッドボディ、（b）クラブヘッドボディに係合するかまたはその一部として一体的に形成される打球面、（c）クラブヘッドに係合するかまたはその少なくとも一部分と一体的に形成されるホーゼル部材、および（d）ゴルフボールが打球面に接触するときにクラブヘッドにより発せられる音を変化させるための手段を含む、ゴルフクラブおよびゴルフクラブヘッドに関する。音を変化させるための手段は、ゴルフボールが打球面に接触するときにクラブヘッドにより発せられる音をユーザが選択的に変化させることを可能にしうる。クラブヘッドにより発せられる音は、たとえば上記の様々なやり方のいずれかで変化させられうる。本発明のこの局面の少なくともいくつかの構造において、音を変化させるための手段の少なくとも一部分はクラブヘッドに係合しうるかまたはそれと一体的に形成されうるものであり、かつ／あるいは、音を変化させるための手段の少なくとも一部分はクラブヘッドから取り外し可能でありうる。
【００１０】
本発明のなおさらなる局面は、本発明の例のゴルフクラブまたはゴルフクラブヘッドを作製するための方法に関する。たとえば、本発明の少なくともいくつかの例の方法は、（a）クラブヘッド内に開口しソール部分を通る穿孔を含む、クラブヘッドを提供する工程、および（b）穿孔インサートを穿孔に係合させるか、またはクラブヘッドにより発せられる音を変化させるための手段をクラブヘッドに係合させる工程を含みうる。ポスト、および／または音を変化させるための手段は、上記のいずれかの特徴または特性を有しうる。さらに、本方法は（c）ホーゼル部材においてゴルフクラブシャフトをクラブヘッドに係合させる工程、および／または（d）グリップ部材をゴルフクラブシャフトに係合させる工程を含みうる。
【００１１】
本発明のなおさらなる局面は、ゴルフクラブまたはゴルフクラブヘッドを使用して、使用中のゴルフボールに接触するときにゴルフクラブまたはゴルフクラブヘッドに関連する音、および／または感触の他の様相を制御するための方法に関する。たとえば、本発明の少なくともいくつかの例の方法は、（a）上記の種類のゴルフクラブを提供する工程、および（b）音を変化させるための手段を調整することによって、ゴルフボールが打球面に接触するときにクラブヘッドにより発せられる音を変化させる工程を含みうる。クラブヘッドにより発せられる音は、上記の様々なやり方の任意の一つまたは複数で変化させられうる。
【図面の簡単な説明】
【００１２】
同様の参照数字が同様の特徴を示す添付図面を考慮して以下の説明を参照することにより、本発明およびその特定の利点のより完全な理解を獲得することができる。
【００１３】
【図１】本発明の例示的ゴルフクラブの正面図を示す。
【図２】本発明のゴルフクラブヘッドおよびポストの近接斜視図を示す。
【図３Ａ】本発明の例示的ゴルフクラブヘッドの側面図を示す。
【図３Ｂ】図3Aの3B-3B線に沿った図3Aのゴルフクラブヘッドからのポストの断面図を示す。
【図３Ｃ】図3Aのゴルフクラブヘッドの下面図を示す。
【図４】図4Aは本発明の別の例示的ゴルフクラブヘッドの側面図を示す。図4Bは図4Aの4B-4B線に沿った図4Aのゴルフクラブヘッドからのポストの断面図を示す。
【図５】図5Aは本発明の別の例示的ゴルフクラブヘッドの側面図を示す。図5Bは、図5Aの5B-5B線に沿った図5Aのゴルフクラブヘッドからのポストの断面図を示す。
【図６】本発明の他の例示的ゴルフクラブヘッドの側面図を示す。
【図７】本発明の他の例示的ゴルフクラブヘッドの側面図を示す。
【図８】本発明の他の例示的ゴルフクラブヘッドの側面図を示す。
【図９】本発明の回転可能なウェイトを有する別の例示的ゴルフクラブヘッドの近接側面図を示す。
【図１０】本発明のプレートを有する別の例示的ゴルフクラブヘッドの側面図を示す。
【図１１】図11Aは本発明の別の例示的ゴルフクラブヘッドおよびポストの近接斜視図を示す。図11Bは本発明の図11Aのゴルフクラブヘッドの側面図を示す。
【図１２】本発明の別の例示的ゴルフクラブヘッドの側面図を示す。
【図１３】本発明の別の例示的ゴルフクラブヘッドの側面図を示す。
【図１４】本発明の別の例示的ゴルフクラブヘッドの側面図を示す。
【図１５Ａ】本発明の別の例示的ゴルフクラブヘッドの側面図を示す。
【図１５Ｂ】図15Aのゴルフクラブヘッドの下面図を示す。
【図１６】本発明の別の例示的ゴルフクラブヘッドの下面図を示す。
【００１４】
読者は、添付図面が必ずしも原寸に比例して描かれてはいないことに留意されたい。
【発明を実施するための形態】
【００１５】
詳細な説明
本発明の様々な例示的態様に関する以下の説明においては、本明細書の一部を形成し、本発明の局面を実施することができる様々な例示的構造、装置、システムおよび環境が実例として示されている添付図面を参照する。発明の範囲を逸脱することなく、パーツ、構造、例示的装置、システムおよび環境の他の具体的配設を利用することができ、構造的および機能的変更を加えることができることが理解されよう。また、本明細書においては、本発明の様々な例示的特徴および要素を説明するために「上」、「下」、「前」、「後」、「側方」などの語が使用されることがあるが、これらの語は、本明細書中、たとえば図に示す例示的向きに基づいて便宜上使用される。本明細書におけるいかなる記載も、本発明の範囲に入るために構造の特定の三次元的向きを要するものと解釈されるべきではない。
【００１６】
読者を支援するために、本明細書を以下の様々な小節に分割する。本発明の局面のゴルフクラブおよびゴルフクラブヘッドの一般的説明、本発明の具体例、および結語。
【００１７】
A. 本発明の局面のゴルフクラブおよびゴルフクラブヘッドの一般的説明
概して、本発明の局面はゴルフクラブおよびゴルフクラブヘッドに関する。本発明の少なくともいくつかの例のそのようなゴルフクラブおよびゴルフクラブヘッドは、（a）クラブヘッドボディ、（b）クラブヘッドボディに係合するかまたはその一部として一体的に形成される打球面、および（c）クラブヘッドに係合するかまたはその少なくとも一部分と一体的に形成されるホーゼル部材を含みうる。クラブヘッドボディは、クラウン部分およびソール部分を含む。本明細書において使用される用語「ホーゼル部材」は、ゴルフクラブシャフトを受け、かつ、接続が永久的であれ解放可能であれそれをゴルフクラブヘッドと係合させるための、クラブヘッドボディなどの内側および／または外側にある任意の構造を含む。
【００１８】
さらに、本発明のゴルフクラブおよびゴルフクラブヘッドは、ゴルフボールが打球面に接触するときにクラブヘッドボディから発せられる音を変化させるための手段を含みうる。音を変化させるための手段は、たとえば穿孔インサートおよびポストを含みうる。クラブヘッドソールを通る穿孔はクラブヘッドボディ内に開口しうるものであり、穿孔インサートは穿孔に係合しうるものであり、ポストは穿孔インサートにたとえば摺動可能に係合しうる。さらに、本発明にしたがって、ゴルフボールが打球面に接触するときにクラブヘッドボディから発せられる音を改変するように、クラブヘッドの種々の特徴、たとえば構成、構造、向き、および／またはポストによりクラブヘッドに加えられる力に関する特徴が変えられうる。
【００１９】
ゴルフクラブヘッドボディは、本発明を逸脱することなく種々の形態を取りうる。たとえば、クラブヘッドボディは、本発明を逸脱することなく、任意の所望の数の異なるパーツ、任意の所望の構成、任意の所望の材料など、たとえば当技術分野において公知であり、使用される従来のパーツ、従来の構成、および／または従来の材料で作製されうる。いくつかの例示的構造において、クラブヘッドボディはウッドタイプゴルフクラブヘッドであり、以下のパーツの一つまたは複数を含む。クラウン部分、地面係合面を有するソール部分、フェース部材（そこに一体的に形成されるかまたはそこに取り付けられる打球面を場合によって含む）、カップフェース、一つまたは複数のボディリボン（たとえば、クラウン部分とソール部分との間のクラブヘッドの外周を形成または規定する）、ソールプレート、フレーム部材（場合によってチタン合金などの金属。たとえば、クラウン部分とソール部分との間のクラブヘッドの外周を形成または規定し、かつ／あるいはクラウン部分および／またはソール部分の一つもしくは複数（存在すれば）がそこに係合するなど）、アフトボディなど。
【００２０】
音を変化させるための手段は、本発明を逸脱することなく様々なやり方で機能しうる。たとえば、いくつかのゴルフクラブヘッドにおいて、ゴルフボールが打球面に接触するときにクラブヘッドボディから発せられる音を改変するように、ポストの長さが選択的に変えられうる。本発明の別の例において、ゴルフボールが打球面に接触するときにクラブヘッドボディから発せられる音を改変するように、ポストの断面のサイズおよび／または形状が選択的に変えられうる（たとえば、一つのポストを別のポストに交換すること、一つまたは複数の材料層（テープ層などの）をポストに付加すること、一つまたは複数の材料層をポストから取り外すことなどによって）。ポストは、本発明を逸脱することなく円形の、長方形の、三角形の、平らな、または任意の他の所望の断面を有しうる（断面形状はポストの縦方向長さにわたって変化しうる）。本発明の別の例として、ゴルフボールが打球面に接触するときにクラブヘッドボディから発せられる音を改変するように、ポストの材料が選択的に変えられうる。本発明のさらに別の例として、ポストは、ポストに沿って設置されたウェイトを含みうるものであり、ゴルフボールが打球面に接触するときにクラブヘッドボディから発せられる音を改変するように、ポストに沿ったウェイトの場所が選択的に変えられうる。ウェイトは内部ねじ山を含みうるものであり、ウェイトは、ポストの第一の端部から第二の端部に移動するようにポストに螺合可能に係合する。なおさらなる例として、クラブヘッドの音特徴を改変するように、ゴムエンドキャップまたは他のエンドキャップ材料などの様々な種類の材料がポストに取り付けられうる。さらに、いくつかの構造において、クラブヘッドの音特性を改変するように、ポストによりクラウン部分および／またはソール部分に加えられる力が選択的に変化させられうる（たとえば、ポストがそれによってクラブヘッドボディに係合されるねじ込み接続を締め付けるかまたは緩めること、クラブヘッド内側に設置されるポストの長さを変化させること、ばねにより加えられる力を変化させることなどによって）。
【００２１】
望むならば、クラブヘッドのクラブヘッドボディおよび／または打球面の少なくとも一部、さらには全体が、チタン金属および／またはチタン系合金材料から作製されてもよい。いくつかのより具体的な例において、クラブヘッドボディおよび／またはクラブヘッド全体の質量、体積および／または表面積の少なくとも50%がチタン金属および／またはチタン系合金材料から作製され、いくつかの例示的構造において、これらの量は少なくとも75%、少なくとも85%、少なくとも90%、さらには少なくとも95%でありうる。
【００２２】
本発明の例のゴルフクラブはさらなる特徴を含みうる。たとえば、本発明の一つの局面において、ソールは、使用中のプレー面に直面および係合するように構成されうる。フェアウェイウッドなどのプレー面に直接存在するボールを打つように構成されたクラブでは、ソールが使用中のプレー面に接触しうるものであり、クラブの特徴はこれにしたがって設計されうる。そのようなクラブでは、ポストのヘッド、および／または穿孔インサートの下面（露出面）はソールの差し込まれた部分内に延びうるものであり、これによりポストのヘッド、または穿孔インサートの下面はソールの主面と同一平面になり、かつ／またはその中に嵌め込まれる。ポストヘッドの外面、および／または穿孔インサートの下部はソールの主面に円滑に適合するように曲がりうる。別の例として、望むならば、上記のポストヘッドおよび／または穿孔インサート下部特性を有しうるカバー部材で、ポストのヘッド、および／または穿孔インサートの下面が覆われてもよい。ソールは、キールを含む地面係合面を含みうるものであり、キールは、ソールの中心に沿って位置決めされ、フェースの下縁からフェースとは反対側のヘッドの後面に向かって後方に延びる。キールは、使用中のヘッドの最低面であるように構成されうるものであり、キールの少なくとも一部分は隣接面に対して上昇しうる。さらに、キールは実質的に円滑な曲線面を有しうる。別の例において、キールは、互いを横切る角度に向く複数の実質的に円滑で実質的に平面状の表面を有しうる。
【００２３】
本発明の例のゴルフクラブは、望むならば、ゴルフクラブ分野において公知であり、使用される特徴を含むさらなる特徴を含んでもよい。たとえば、ウェイト付けシステムをクラブヘッドボディ部材、たとえばクラブヘッドボディの内側または外側の部材、クラブヘッドボディの外側から内側に（たとえばウェイトポートを経て）延びる部材などに永久的に装着してもよい。なおさらなる例として、望むならば、ウェイト付けシステムは、たとえば当技術分野において公知であり、使用される構造および技術（たとえば、ねじ、止めねじ、または他の機械的コネクタアタッチメント、摺動アタッチメントなどによる）を使用してクラブヘッドボディ部材に対して移動可能および／または取り外し可能に装着される一つもしくは複数のウェイト部材を含んでもよい。有利には、本発明の少なくともいくつかの例にしたがって、ウェイト付けシステムは、クラブヘッドボディ部材の後面またはその近くに設置されるウェイト部材を含み、ウェイト部材は場合によってクラブヘッドの後トウ部分、後ヒール部分および／または後ソール部分に向かって設けられている。望むならば、たとえばカスタマイズ、交替、交換および／またはクラブフィッティングを可能にするために（たとえばドローバイアスクラブを設ける、フェードバイアスクラブを設ける、高弾道バイアスクラブを設ける、低弾道バイアスクラブを設ける、望まない飛球またはスイングの欠陥を補正するのに役立つ（たとえばフック、スライスなどを補正するのに役立つ、ボールを空中浮揚させるのに役立つ、飛球のバルーニングを防止するのに役立つなど）クラブを設けるなどのために）、ウェイト付けシステムの少なくともいくつかの部分は、クラブヘッドボディ部材から選択的に移動可能および／もしくは取り外し可能であってもよく、ならびに／または種々の異なる位置および／もしくは配設において装着可能であってもよい。
【００２４】
クラブヘッドボディパーツの様々な特徴は、さらなるウェイトを減少させるかまたは「節約する」ことで、クラブヘッド構造における任意的なウェイトの選択的位置決めを可能にすることにより、クラブヘッドの慣性モーメントを増大させ、かつ／または他のやり方でその特性を改変することに役立ちうる。たとえば、クラブヘッドのクラウン部分および／またはソール部分は中心区域および周辺区域を含みうるものであり、中心区域は周辺区域よりも薄肉化される（たとえば化学的切削加工、このように成形または他のやり方で形づくることなどによって）。同様に、打球面もその周辺で薄肉化されうる（これにより変動可能な厚さの打球面が設けられる）。次に、クラウン部分、ソール部分および／または打球面部分における厚さが減少した区域により「節約される」質量は、クラブヘッドの慣性モーメントを増大させる、飛球特性に影響を与える（たとえば上記のように特定の所望の種類の飛球にクラブをバイアスさせる）、および／またはユーザのスイングの欠陥を補正するのに役立つように、クラブヘッド構造において「再位置決め」されうる。
【００２５】
本発明の例のゴルフクラブは、望むならば、ゴルフクラブ分野において公知であり、使用される特徴を含むなおさらなる特徴を含んでもよい。たとえば、ゴルフクラブは、解放可能にゴルフクラブヘッドをシャフトに接続するためのシステムおよび方法を含みうるものであり、これにより、クラブヘッドおよびシャフトは容易に交替されることができ、かつ／あるいは、クラブヘッドボディ（およびその打球面）に対するシャフトの角度および／または位置は容易に変化させられうる。クラブヘッドおよびシャフトは、固定システムを解放し、当初存在したパーツ（たとえばシャフト、クラブヘッドなど）を、異なる特性を有する異なるパーツで交替することにより互いに交替可能である。そのような構造において、シャフトは、クラブヘッドボディ上で異なるシャフト（たとえば異なる長さ、異なる屈曲性、異なる材料、異なる質量などのシャフト）に迅速かつ容易に交換可能である。さらにまたはあるいは、望むならば、そのような構造において、クラブヘッドはシャフト上で異なるクラブヘッド（たとえば異なるロフト、ライ角、サイズ、ブランドなどのクラブヘッド）に迅速かつ容易に交換可能である。あるいはまたはさらに、シャフト係合部材をクラブヘッドボディに対して回転させることでシャフトの角度または位置をクラブヘッドに対して（例えばその打球面に対して）調整することを可能にするように、クラブヘッドホーゼルまたはクラブヘッド係合部材の軸方向に対して、シャフトが向けられてもよく、かつ／またはシャフト係合部材内のシャフトを受けるためのチャンバが向けられてもよい。
【００２６】
さらに、本発明を逸脱することなく、解放可能な接続アセンブリを任意の所望のやり方で使用することができる。そのような接続アセンブリを有するゴルフクラブは、プレー中のゴルファーにより使用されるように設計されうる（場合によっては、望むならば、ゴルファーはシャフト、ヘッド、および／またはそれらの位置決めを互いに自由に変化させることができる）。別の例として、望むならば、本発明の解放可能な接続を含むゴルフクラブをクラブフィッティングツールとして使用することができるし、ヘッド、シャフトおよび位置決めの所望の組み合わせが特定のゴルファーについて決定されているとき、クラブビルダーは、この決定された情報を使用することで、通常の（および永久的な）装着技術（たとえばセメントまたは接着剤）を使用して所望の最終ゴルフクラブ製品を生成することができる。クラブ／シャフト接続アセンブリパーツおよびプロセスの他の変形が、本発明を逸脱することなく可能である。
【００２７】
本発明のなおさらなる局面は、本発明の例のゴルフクラブまたはゴルフクラブヘッドを作製するための方法に関する。たとえば、本発明の少なくともいくつかの例の方法は、（a）クラブヘッドソール部分を通って延びかつクラブヘッド内側に開口する穿孔を含む、クラブヘッドを提供する工程、（b）穿孔において穿孔インサートをクラブヘッドに係合させる工程、および（c）ポストの一部分がクラブヘッド内側に延びるように、ポストを穿孔インサートにたとえば摺動可能にかつ／またはねじ込み式で係合させる工程を含みうる。クラブヘッド、穿孔インサートおよび／またはポストは、上記の様々な特徴および／または特性のいずれかを有しうる。さらに、本方法は（c）ホーゼル部材においてゴルフクラブシャフトをクラブヘッドに係合させる工程、および／または（d）グリップ部材をゴルフクラブシャフトに係合させる工程を含みうる。
【００２８】
本発明のなおさらなる局面は、ゴルフクラブおよびゴルフクラブヘッドの特徴を使用して、使用中のゴルフボールに接触するときにゴルフクラブおよびゴルフクラブヘッドに関連する音、および／または感触の他の様相を制御するための方法に関する。たとえば、本発明の少なくともいくつかの例の方法は、（a）ソール部分を通って延びかつクラブヘッド内側に開口するソール部分内の穿孔を含む、ゴルフクラブを提供する工程、（b）ゴルフボールが打球面に接触するときにクラブヘッドにより発せられる音を変化させるための手段をクラブヘッドに（例えばソール部分内の穿孔において）係合させる工程、および（c）音を変化させるための手段を調整することによって、ゴルフボールが打球面に接触するときにクラブヘッドにより発せられる音を変化させる工程を含みうる。音を変化させるための手段は、ゴルフボールが打球面に接触するときにクラブヘッドにより発せられる音を、例えば上記の様々なやり方の任意の一つまたは複数でユーザが選択的に変化させることを可能にしうる。
【００２９】
ゴルフクラブおよびクラブヘッドの様々なパーツを任意の所望のやり方で一緒に係合させることができる。いくつかのより具体的な例として、上記の様々な「係合」工程としては、接着剤またはセメントを使用して接着する工程、溶接、ろう付け、はんだ付け、または他の融着技術を使用して係合させる工程、ユーザが解放可能なコネクタを含む機械的コネクタ（ねじ、ボルト、ナットなどの）を使用して取り付ける工程などの一つまたは複数を挙げることができる。
【００３０】
本発明の具体例を以下でさらに詳細に説明する。これらの具体例は単に本発明の例を明らかにするために開示されるものであり、本発明を限定するものとしてそれらを解釈すべきではないということを、読者は理解すべきである。
【００３１】
B. 本発明の具体例
本出願における様々な図は、本発明の例として有用でありかつ本発明の例の方法において有用である、ゴルフクラブおよびゴルフクラブヘッドならびにそれらのコンポーネントの例を示す。一つを超える図面で同じ参照番号が見られる場合、その参照番号は、本明細書および図面を通して同じまたは類似パーツを指すために一貫して使用される。
【００３２】
図1は、本発明の少なくともいくつかの例の例示的ゴルフクラブ100を一般的に示す。通常通り、ゴルフクラブ100はクラブヘッド110と、クラブヘッド110をシャフト104に接続するホーゼル部材102と、シャフト104に係合するグリップ部材106とを含む。クラブヘッド構造110の様々な例示的特徴および局面を、残りの図に関連して以下でさらに詳細に説明する。当技術分野において公知であり、使用されるやり方（たとえばセメントまたは接着剤経由、機械的コネクタ経由、解放可能な機械的接続経由、溶接、はんだ付け、ろう付け、または他の融着技術経由など）を含む任意の所望のやり方で、クラブヘッド110をホーゼル102経由でシャフト104に係合させることができる。鋼、グラファイト、ポリマー、複合材料、これらの材料の組み合わせなどの、当技術分野において公知であり、使用される従来の材料を含む任意の所望の材料をシャフト部材104に使用することができる。同様に、当技術分野において公知であり、使用されるやり方（たとえばセメントまたは接着剤経由、機械的接続経由、解放可能な機械的接続経由など）を含む任意の所望のやり方で、グリップ部材106をシャフト104に係合させることができる。当技術分野において公知であり、使用される従来の材料、たとえばゴム、ポリマー材料、コルク、紐または他の織物要素がその中に埋め込まれたゴムまたはポリマー材料、布地または織物、テープなどを含む任意の所望の材料をグリップ部材106に使用することができる。
【００３３】
図1A〜図16に示すゴルフクラブ100は多くの共通の特徴を含んでおり、これらは以下の説明において同様の参照数字で参照される。クラブヘッド110は、クラブヘッドボディ112および打球面114を含みうる。クラブヘッドボディ112は概して、上部またはクラウン116、および下部またはソール118を有する。
【００３４】
ゴルフクラブヘッドボディ112は、本発明を逸脱することなく種々の形状および形態を取りうる。たとえば、クラブヘッドボディ112は、本発明を逸脱することなく、任意の所望の数の異なるパーツ、または任意の所望の構成、任意の所望の材料など、たとえば当技術分野において公知であり、使用される従来のパーツ、従来の構成、および／または従来の材料で作製されうる。クラブヘッドボディ112は、一つまたは複数の金属合金パーツ（たとえば場合によって打球面、フェース部材などを含むかまたはそれに係合するフレーム）、たとえば、ステンレス鋼、チタン合金、アルミニウム合金、マグネシウム合金など；ポリマー材料（たとえばクラウン部分またはソール部分用、クラウン部分とソール部分との間のクラブヘッドボディ部分用、フェース部材用など）；炭素繊維複合材料、玄武岩繊維複合材料、ガラス繊維材料などの繊維または粒子強化複合材料を含む複合材料（たとえばクラウン部分またはソール部分用、クラウン部分とソール部分との間のクラブヘッドボディ部分用、フェース部材用など）；およびこれらの材料の組み合わせ；などを含みうる。さらに別の例として、望むならば、クラブヘッドボディ112は一体式ワンピース構成を有しうるものであり、場合によってフレーム部材がそこに一体的に形成されており、さらに、別個の取り外し可能なウェイト部分（および望むならば場合によって別個のウェイトインサート）がそこに係合している。クラブヘッドボディ構造および／またはその様々なパーツの任意の所望の構造および／または配設を、本発明を逸脱することなく使用することができる。
【００３５】
さらに、ゴルフクラブ100またはゴルフクラブヘッド110は、ゴルフボールが打球面114に接触するときにクラブヘッドボディ112により発せられる音を変化させるための手段を含みうる。ゴルフボールを打つ間にゴルフクラブ100またはゴルフクラブヘッド110により発せられるかまたは出される音は、音を変化させるための手段を「チューニングする」ことにより変化させることができる。音を変化させるための手段は、ゴルフボールが打球面114に接触するときにクラブヘッドボディ112により発せられる音をユーザが選択的に変化させることを可能にしうる。音を変化させるための手段は、クラブヘッドボディ112に設置されかつそれを通って延びる穿孔インサート120と、ポスト130との両方を含みうるものであり、ポスト130は場合によって穿孔インサート120に摺動可能に係合してもよい。音を変化させるための手段が穿孔インサート120に固定された時点で、クラブヘッドボディ112は、ゴルフボールを打つときに特定の音特性を示す。ポスト130の特徴を変化させることで、ユーザは、ゴルフボールを打つときにクラブヘッドボディ112に関連する振動性を変化させることによって、ゴルフボールを打つときにクラブヘッド110から発せられる音を変化させることができる。例えば、ポスト130の特徴は、ポストの構成を改変すること（たとえばポストに対して一つまたは複数の材料層を加えるかまたは差し引くことにより）、クラブヘッドボディに対するポストの向きを変化させること、ポストによりクラブヘッドボディに加えられる力を変化させること（たとえばクラブヘッドボディ内側のポストの長さを増大または減少させることにより）、一つのポストを別のポスト（たとえば異なるサイズ、断面形状、材料などの）に交換すること、ポストの材料をクラウンに対して押し縮めること、ポストに係合したウェイト部材の特徴を変化させることなどにより変化させることができる。
【００３６】
図2に示すように、この例示的構造における音を変化させるための手段の第一の部分は穿孔インサート120である。穿孔インサート120はクラブヘッドボディ112のソール118に設置されうる。穿孔インサート120はクラブヘッドボディ112のソールにおけるソール開口122（または穿孔）で始まりうる。穿孔インサート120は、ソール部分118からクラウン部分116に向かって、クラブヘッドボディ112の内側におよび／またはそれを経て延びうる。さらに、望むならば、穿孔インサート120はクラブヘッドボディ112のクラウン部分の内側に延びうる。穿孔インサート120の内側はポスト130を受けるように構成されうる。たとえば、穿孔インサート120は、ソール開口122の少なくとも近傍にまたはそれに隣接して任意で設置される内部ねじ山128を含みうる。代替態様において、内部ねじ山128は、穿孔インサート120全体にわたって他の場所に、たとえば、クラウン部分116もしくはその近傍に、または穿孔インサート120の中央に向かって、設置されうる。また、内部ねじ山128は、穿孔インサート120の長さ全体に延びうる。あるいは、穿孔インサート120は、ポスト130を係合させる他の係合手段（たとえば、ねじ、止めねじ、または他の機械的コネクタアタッチメント、ばね荷重接続、摺動アタッチメントなどによる）を含みうる。
【００３７】
さらに、図2および図3Aに示すように、穿孔インサート120は、ポスト130を穿孔インサート120内に固定されたまま維持するのに役立つ支持構造を含みうる。穿孔インサート120はソール支持体124および／またはクラウン支持体126を含みうる。ソール支持体124は、ソール開口122の近傍にまたはそれに隣接して設置されうる（そして場合によって、たとえばセメントまたは接着剤経由で、開口122においてソール部分118に係合しうる）。ソール支持体124はソール部分118の内面に取り付けられうるかまたは係合しうる。ソール支持体124は管状に形づくられかつソール部分118から上方に延びうる。ソール支持体124は、本発明を逸脱することなく他の異なる形状でありうる。ソール支持体124は、ポスト130を受ける平滑な内面を有しうるか、または、ポスト130上に設けられたねじ山を受けかつそれに係合する内部ねじ山128を含みうる。ソール支持体124および／または穿孔インサート120とは別であってもそれに接続されていてもよいクラウン支持体126は、クラブヘッドボディ112のクラウン部分116の近傍にまたはそれに隣接して設置されうる。クラウン支持体126はクラウン部分116の内面に取り付けられうるかまたは係合しうる。クラウン支持体126は管状に形づくられかつクラウン部分116から下方に延びうる。クラウン支持体126は、ポスト130を受ける平滑な内面を有しうるか、または、ポスト130上に設けられたねじ山を受けかつそれに係合する内部ねじ山を含みうる。
【００３８】
ゴルフクラブ構築分野において公知であり、使用される通常の材料、たとえばステンレス鋼、チタンおよび／またはその合金、アルミニウムおよび／またはその合金、マグネシウムおよび／またはその合金など；ポリマー材料；炭素繊維複合材料、玄武岩繊維複合材料、ガラス繊維材料などの繊維または粒子強化複合材料を含む複合材料を含む、任意の所望の材料を、ソール支持体124とクラウン支持体126との両方に使用することができる。当技術分野において公知であり、使用されるやり方を含む任意の所望のやり方で、ソール支持体124およびクラウン支持体126はそれぞれソール部分118およびクラウン部分116に係合しうる。たとえば、係合手段としては、接着剤またはセメントを使用して接着すること、溶接、ろう付け、はんだ付け、または他の融着技術を使用して係合させること、機械的コネクタ（ねじ、ボルト、ナットなどの）を使用して取り付けることなどの一つまたは複数を挙げることができる。あるいは、望むならば、ソール支持体124はソール部分118の一部として一体的に形成されてもよく、かつ／または、クラウン支持体126はクラウン部分116の一部として一体的に形成されうる。別の代替案として、望むならば、ソール支持体124は穿孔インサート120と一体的に形成されうる（クラウン支持体126も同様）。
【００３９】
図2および図3Aにさらに示すように、音を変化させるための手段の第二の部分はポスト130である。ポスト130は二つの端部、すなわち第一の端部132、および第一の端部132とは反対側の第二の端部134を有しうる。ポスト130の第一の端部132は、ソール開口122に挿入されかつクラブヘッドボディ112の穿孔インサート120内に延びて摺動するように構成されうる。ポスト130の第二の端部134はヘッド構造136を含みうる（図2および図3Cを参照）。ヘッド構造136は、穿孔インサート120内にポスト130をねじ込むかまたは係合させるためのスロットまたは成形孔を含みうる。スロットまたは成形孔は、例えばねじ回し、プラスドライバ、アレンレンチ、または他の形状のレンチ用でありうる。ポスト130の第二の端部134およびヘッド構造136は、クラブヘッドボディ112のソール部分118と実質的に同一平面になるように構成されうる。ヘッド構造136は、クラブヘッドのソール部分118上に平滑な表面を作り出すように、充填されるかまたは他のやり方で外見的に覆われることがある。本発明を逸脱することなく、ねじ頭カバーを利用してヘッド構造136を覆うことができる。さらに、図2に示すように、ポストは、穿孔インサート120の内部ねじ山128に係合するように構成される外部ねじ山138を含みうる。
【００４０】
ポスト130の断面は、本発明を逸脱することなく、円状、楕円形、正方形、長方形、三角形、平らなどの多くの様々な形状の一つでありうる。図3Aおよび図3Bに示すように、この例示的構造におけるポスト130の断面は正方形または長方形である。さらに、図4Aおよび図4Bに示すように、この例示的構造におけるポスト130の断面は円状である。さらに、図5Aおよび図5Bに示すように、ポスト130の断面は平ら（実質的に長方形）である。
【００４１】
ポスト130は、本発明を逸脱することなく種々の材料、たとえばステンレス鋼、チタンおよび／またはその合金、アルミニウムおよび／またはその合金、マグネシウムおよび／またはその合金、鋼など；ポリマー材料（ゴムまたは発泡体のような圧縮性材料などを含む）；炭素繊維複合材料、玄武岩繊維複合材料、ガラス繊維材料などの繊維または粒子強化複合材料を含む複合材料で作製されうる。
【００４２】
図2および図3Aに示すように、ポスト130はクラブヘッドボディの穿孔インサート120に挿入されうる。ポスト130の第一の端部132はソール開口122に挿入されうるものであり、第一の端部132は穿孔インサート120内にかつそれを通って摺動する。ユーザは、ポスト130をソール開口122および穿孔インサート120内に、締結手段に到達するまで摺動させ続けることができる。締結手段に到達した時点で、ユーザはポスト130を穿孔インサート120およびクラブヘッドボディ112に締結させることができる。ねじ込み係合の例において、ユーザはポスト130を回転させて、ポスト130の外部ねじ山138を穿孔インサート120の内部ねじ山128に係合させることができる。ユーザがポスト130をクラブヘッドボディ112および穿孔インサート120内で摺動または回転させている間、ポスト130の第一の端部132はクラウン支持体126内に摺動しかつそれにより支持されうる。さらに、ポスト130がゴム先端140を有する場合、ゴム先端140はクラウン部分116に対して延びてその内側で押し縮められうる。ユーザは、ポスト130が穿孔インサート120およびクラブヘッドボディ112内に完全に係合するまで、ポスト130を回転させ続けることができる。ポスト130が穿孔インサート120およびクラブヘッドボディ112内に完全に係合した時点で、第二の端部134およびヘッド構造136はソール部分118と実質的に同一平面になりうるかまたはその中に差し込まれうる。さらに、ポスト130の第二の端部134は、ソール開口122の近傍にあるかまたはそれに隣接するソール支持体124により支持されうる。ポスト130を取り外すために、ユーザは、ポスト130を反対方向に回転させて、ポスト130の外部ねじ山138を穿孔インサート120の内部ねじ山128から係合解除することができる。ねじ山128、138を係合解除した時点で、ユーザは、ポスト130を穿孔インサート120から外に摺動させることによってポスト130をクラブヘッドボディ112から取り外すことができる。また、望むならば、上記のようにポスト130を穿孔インサート120およびクラブヘッドボディ112から自由にかつ選択的に取り外すことによって、ゴルフボールが打球面114に接触するときにクラブヘッドボディ112から発せられる音のさらなる選択的変化またはカスタマイズを可能にすることができる。
【００４３】
打球面114上でゴルフボールを打つことに関連する「音」を変化させることにより、クラブの「感触」を変化させることができる（たとえば金属的な「リン」という音に対してよりソフトな「ドン」という音など）。音を変化させるための手段（例えばポスト130）が穿孔インサート120に固定された時点で、クラブヘッド110は、ゴルフボールを打つときに特定の音特性を示す。たとえば、クラブヘッド110は、ゴルフボールが打球面114を打つときの音を、第一のトルクまたは圧縮レベルでのポスト130による約110デシベル〜約125デシベルの範囲、および第二のトルクまたは圧縮レベルでのポスト130による約120デシベル〜約140デシベルの範囲で生成することができる（ユーザはポストのトルクまたは圧縮レベルを調整することが可能である）。さらに、本発明を逸脱することなく、クラブヘッド110は、約110デシベル〜約120デシベルの範囲などの様々な他の範囲でデシベルレベルを改変する他のポスト、トルクレベル、または他の調整手段を含みうる。本発明の別の例では、デシベルレベル範囲は約120デシベル〜約130デシベルでありうる。本発明の別の例では、デシベルレベル範囲は約130デシベル〜約140デシベルでありうる。本発明の別の例では、デシベルレベル範囲は約110デシベル〜約130デシベルでありうる。本発明の別の例では、デシベルレベル範囲は約120デシベル〜約140デシベルでありうる。
【００４４】
別の例として、クラブヘッド110は、ゴルフボールが打球面114を打つときの音周波数を、第一のトルクまたは圧縮レベルでのポスト130による約2,500Hz〜約3,000Hzの範囲、および第二のトルクまたは圧縮レベルでのポスト130による約4,500Hz〜約6,500Hzの範囲で生成することができる。ゴルフクラブヘッド110の周波数レベルは異なるポスト、トルクレベル、または他の調整手段に基づいて改変することができ、周波数は約2,500Hz〜約7,000Hzであり、あるいは、周波数は約2,900Hz〜約6,500Hzであり、あるいは、周波数は約4,000Hz〜約6,000Hzである。
【００４５】
ゴルフボールを打つ間にゴルフクラブ100またはゴルフクラブヘッド110により発せられるかまたは出される音（たとえば音色、強さ（たとえばdBレベル）および／または周波数など）は、音を変化させるための手段を「調節する」ことにより変化させることができる。上記のように、ポスト130およびポスト／穿孔インサート130／120組み合わせの多くの特徴が、本発明において変えられうる。これらの異なる特徴および組み合わせはそれぞれ、ゴルフボールが打球面114に接触するときにクラブヘッド110により発せられる音をユーザが選択的に変化させることを可能にしうる。ポスト130およびポスト／穿孔インサート130／120組み合わせの特徴を変化させることで、ユーザは、ゴルフボールを打つときにクラブヘッド110に関連する振動性を変化させることによって、ゴルフボールを打つときにクラブヘッド110から発せられる音を変化させることができる。
【００４６】
本発明の別の例において、図3A、図4Aおよび図5Aに示すように、ゴルフボールが打球面114に接触するときにクラブヘッド110から発せられる音を改変するように、ポスト130、430、530の断面形状が選択的に変えられうる。上記のように、ポスト130、430、530の断面形状は、本発明を逸脱することなく多くの異なる形状およびサイズでありうる。たとえば、図3Aに示すように、ポスト130は長方形の断面を有してもよく、図4Aに示すように、ポスト430は円状または円形の断面を有してもよく、図5Aに示すように、ポスト530は平らな断面を有してもよい。ポストの断面形状は本発明を逸脱することなく変えられうるものであり、断面形状を変化させることで、クラブヘッドに関連する音を変化させることができる。
【００４７】
本発明の代替例において、ポスト130の長さも本発明を逸脱することなく変わりうる。図3Aに示すように、第一の端部132がクラブヘッド110のクラウン部分116の近傍にまたはそれに隣接して設置されるように、ポスト130の長さは延びうる。望むならば、様々なポールの長さを収容することを可能にするように、種々の異なる力を加えることを可能にするように、かつ支持体126内でポスト130が移動するかまたは音を立てて揺れることを防止するのに役立つように、圧縮性材料をクラウン支持体126に設けることができる（たとえば発泡体インサートピースとしてのポスト130上のゴムエンドキャップなどとして）。さらにまたはあるいは、支持体126またはその一部分は圧縮性材料から作製されうる。あるいは、図6に示すように、第一の端部632がクラブヘッドボディ112の中央に向かって設置されて、クラウン部分116の近傍にまたはそれに隣接して延びないように、ポスト630の長さは延びうる。
【００４８】
さらに、図3および図6に示すように、ゴルフボールが打球面114に接触するときにクラブヘッド110から発せられる音を改変するように、ポスト130、630の長さが選択的に変えられうる。この例において、ポスト130、630の長さが（一方のポスト130、630を他方に交換することにより）変えられるに従って、異なる音、ピッチまたは周波数がクラブヘッド110から発せられる。さらに、ポストの第一の端部132、632はクラブヘッド110のクラウン116に至るまで延びうる。ポスト130、630をクラブヘッド110のクラウン部分116に延伸させることで、ポストはクラウンの周波数を弱めるかまたは隔離することができる。ポスト130、630の長さは、本発明を逸脱することなく任意の長さに変えられうる。
【００４９】
本発明の代替例において、クラブヘッド710は、複数の材料で作製されるポスト730を含みうる。図7Aに示すように、ポスト730は第一の材料741および第二の材料742で作製されうる。第一の材料741および第二の材料742は異なる材料でありうる。接着剤またはセメントを使用して接着すること、溶接、ろう付け、はんだ付け、または他の融着技術を使用して係合させること、機械的コネクタ（ねじ、ボルト、ナットなどの）を使用して取り付けることなどの一つまたは複数を含みうる、当技術分野において公知であり、使用されるやり方を含む、任意の所望のやり方で、第一の材料741を第二の材料742に係合させるかまたは取り付けることができる。図7Aに示すように、第一の材料741は、クラウン部分116の近傍またはクラブヘッドボディ112の上部に設置されうるものであり、第二の材料742は、ソール部分118により近くまたはクラブヘッドボディ112の下部に設置されうる。図7Bは、図7Aに示すポスト730と同様の構造を示すが、このポスト730は第三の材料743および第四の材料744を含む。さらに、ポスト730は、本発明を逸脱することなく、二つを超える異なる材料、たとえば三つ、四つまたは五つの材料を含みうる。ポスト730の複数の各材料の量も本発明を逸脱することなく変わりうる。たとえば、図7Aに示すように、ポスト730は約25%の第一の材料741および75%の第二の材料742を含有しうる。対照的に、図7Bに示すように、ポスト730はいずれも約50%の第三の材料743および第四の材料744を含有しうる。望むならば、いずれかの端部が穿孔インサートに係合可能になるように、かつクラブヘッドにより生成される音がポスト730を逆さに反転させることで改変可能になるように、ポスト730は構築されうる。
【００５０】
さらに、図7Aおよび図7Bに示すように、ゴルフボールが打球面114に接触するときにクラブヘッド710から発せられる音を改変するように、ポスト730の材料が選択的に変えられうる。上記のように、ポスト730の材料は多くの異なる材料の一つでありうる。異なる材料はそれぞれ、ゴルフボールが打球面114に接触するときにクラブヘッド710から発せられる音を変化させることに対して異なる効果を示しうる。さらに、ポスト730は一つを超える異なる材料を含有しうる。複数の材料の異なる組み合わせはそれぞれ、ゴルフボールが打球面114に接触するときにクラブヘッド710から発せられる音を変化させることに対して異なる効果を示しうる。上記で論じたように、ポスト730が一つを超える材料から作製されるとき、材料ごとに量および割合が異なりうる。複数の材料の異なる量または割合はそれぞれ、ゴルフボールが打球面114に接触するときにクラブヘッド710から発せられる音を変化させることに対して異なる効果を示しうる。ポスト730の材料の種類、材料の量および材料の数は、本発明を逸脱することなく変えられうる。そのような構成において、クラブヘッドボディに対してポスト730を反転させることを使用して、クラブの音を変化させる（異なる種類の材料をクラウンの内面と接触させることにより）こともできる。
【００５１】
本発明の代替例において、図8に示すように、クラブヘッド810はポスト830を含みうるものであり、ポスト830の第一の端部832にはゴム先端840またはキャップがある。ゴム先端840は、クラブヘッドボディのクラウン部分116に延びかつそれに対して押し縮められうる。ゴム先端840は、本発明を逸脱することなく天然ゴム、シリコーンゴムコンパウンド、ニトリル（Buna-N）ゴム、ポリブタジエンゴム、ポリマー系ゴムなどの種々の異なるゴム型材料で作製されうる。接着剤またはセメントを使用して接着すること、溶接、ろう付け、はんだ付け、または他の融着技術を使用して係合させること、機械的コネクタ（ねじ、ボルト、ナットなどの）を使用して取り付けること、摩擦ばめ（たとえばキャップ部材としての）などの一つまたは複数を含みうる、当技術分野において公知の様々なやり方で、ゴム先端840を第一の端部832に取り付けることができる。
【００５２】
さらに、図8に示すように、クラブヘッド810はポスト830をゴム先端840とともに含みうるものであり、ポストは、ゴルフボールが打球面114に接触するときにクラブヘッド810から発せられる音をユーザが選択的に改変することを可能にしうる。ポスト830がゴム先端840をポスト830の第一の端部832上で含むとき、ゴム先端840はクラブヘッド810のクラウン部分116の内側に延びかつそれに対して押し縮められうる。クラウン部分116に対するゴム先端840のこの延伸および圧縮は、クラウン116により発せられる周波数を隔離するかまたは弱めることによって、クラブヘッド810の音を変化させるかまたは改変することができる。本発明から逸脱することなく、ゴム先端840のゴムのサイズ、形状および種類を変化させることで、クラブヘッド810の音をさらに改変することができる。また、ポスト830によりクラウン部分116に加えられるトルクまたは力の変化を使用して、クラブにより生成される音を制御および「チューニング」することができる。望むならば、加えられる力（したがって生成される音）のより良い制御およびチューニングを可能にするように、ポスト830の縦方向長さの何らかの部分を圧縮性材料から作製することができる。
【００５３】
本発明の別の例において、図9に示すように、クラブヘッド910はポスト930を一つまたは複数のウェイト950とともに含みうる。ウェイト950はポスト930に沿って設置されうる。図9に示す例において、ウェイト950は、ポスト930の一部分を取り囲むスリーブの形状である。また、ウェイト950は、本発明を逸脱することなく他の形状でありうる。さらに、スリーブまたはウェイト950は、本発明を逸脱することなく異なるサイズおよび異なる質量でありうる。ウェイト950は、ポスト930への締結手段を含みうる。締結手段は、ユーザによりウェイト950の場所がポスト930に沿って変えられることを可能にする。ウェイト950の場所は、ウェイト950を締結解除すること、ウェイト950をポスト930に沿って移動させること、およびウェイト950を異なる場所で再締結させることにより変えられうる。図9に示す締結手段は、ポスト930とウェイト950との間のねじ込み係合を含む。ウェイト950は内部ねじ山952を含みうるものであり、内部ねじ山は、ポスト930の外部ねじ山938に係合することによって、ウェイト950がポスト930を縦方向に上下に移動させることを可能にしうる。図9に示すウェイト950は、ウェイト950をポスト930に沿って回転させることによりポスト930を上下に移動させられうる。ウェイト950の締結手段は、本発明を逸脱することなく、当技術分野において公知である任意の他の種類の締結手段（例えばねじ、止めねじ、または他の機械的コネクタアタッチメント、摺動アタッチメントなどによる）でありうる。また、ウェイト950は、本発明を逸脱することなく、金属材料（チタン、マグネシウム、タングステン、鉛、アルミニウムなどの）；または金属合金（鋼の合金、チタン、マグネシウム、タングステン、鉛もしくはアルミニウムを含有する合金などの）；場合によってより高密度のウェイト材料でドープされている複合材料（炭素繊維複合材、玄武岩繊維複合材などの）；およびポリマー材料（場合によってより高密度のウェイト材料でドープされている）を含む様々な異なる材料で作製されうる。いくつかの場合、ウェイト950をポスト930に対して定位置に保持するために、別個の締結構造を必要としない（たとえば、摩擦ばめがポスト上のウェイトの場所を維持するために十分である場合）。
【００５４】
さらに、図9に示すように、ポスト930はウェイト950を含みうるものであり、ポスト930に沿ったウェイト950の場所は、ゴルフボールが打球面114に接触するときにクラブヘッド910から発せられる音をユーザが選択的に改変することを可能にしうる。ユーザは、ウェイト950をポスト930に沿って上下に選択的に移動させることで、クラブヘッド910から発せられる音を改変することができる。さらに、ウェイト950の形状および／またはサイズを変化させることで、ゴルフボールが打球面114に接触するときにクラブヘッド910から発せられる音をユーザが選択的に改変することを可能にすることができる。さらに、ウェイト950の材料を変化させることで、ゴルフボールが打球面114に接触するときにクラブヘッド910から発せられる音をユーザが選択的に改変することを可能にすることができる。ウェイト950の場所、形状、サイズまたは材料は、本発明を逸脱することなく変化させられうる。
【００５５】
本発明の別の例において、図10に示すように、クラブヘッド1010はプレート1060も含みうる。プレート1060は、第二の端部1032またはポスト1030上部とクラウン116との間に設置されうる。あるいは、プレート1060はクラウン支持体1026とクラウン116との間に設置されうる。プレート1060を利用することで、ポスト1030から加えられる圧力をクラウン116の比較的大きな表面積にわたって広げることができる。プレート1060は、過剰な力がポスト1030に加えられた場合にクラウン116が損傷されることを防止するのに役立ちうる。さらに、プレート1060は、ゴルフボールが打球面114に接触するときにクラブヘッド1010から発せられる音を選択的に改変するさらなる手段をユーザに与えうる。プレート1060のサイズおよび／または形状を変化させることで、ゴルフボールが打球面114に接触するときにクラブヘッド1010から発せられる音をユーザが選択的に改変することを可能にすることができる。さらに、プレートの材料を変化させることで、ゴルフボールが打球面114に接触するときにクラブヘッド1010から発せられる音をユーザが選択的に改変することを可能にすることができる。プレート1060の形状、サイズまたは材料は、本発明を逸脱することなく変化させられうる。
【００５６】
さらに、音を変化させるための手段の代替構成が、本発明を逸脱することなく含まれうる。本発明の別の例において、図11Aおよび図11Bに示すように、クラブヘッド1110は、クラブヘッドソール118に設けられるねじ穴1122に直接係合するポスト1130を含みうる。図3Aと比べると、図3Aの穿孔インサート120が除外されている。この例において、図11Aおよび図11Bに示すように、ねじ穴1122はクラブヘッドボディ112のクラウン部分116の内側に延びうる。ねじ穴1122の内側はポスト1130を受けるように構成されうる。たとえば、ねじ穴1122は、クラブヘッドボディ112のソール118の少なくとも近傍にまたはそれに隣接して任意で設置される内部ねじ山1128を含みうるものであり、ポスト1130は、ねじ穴1122の内部ねじ山1128に係合するように構成された外部ねじ山1138を含みうる。代替態様において、内部ねじ山1128は、ねじ穴1122全体にわたって他の場所に、たとえば、クラウン部分116もしくはその近傍に、またはねじ穴1122の中央に向かって、設置されうる。また、内部ねじ山1128は、ねじ穴1122の長さ全体に延びうる。
【００５７】
本発明の別の例において、図12に示すように、クラブヘッド1210は、穿孔インサート1220を、ポスト1230を係合させるばね荷重接続手段1228とともに含みうる。この例において、ポスト1230は穿孔インサート1220に挿入されうるものであり、ポスト1230が穿孔インサート1220内に押しつけられるかまたは押し込まれるとき、ポスト1230はばね荷重接続手段1228に係合しうる。次にポスト1230は穿孔インサート1220内にロックおよび維持されうる。次に、ポスト1230に対して押し込むかまたは押しつけることによってクラブヘッドボディ112に向かってポスト1230に力を加えることにより、ポスト1230は穿孔インサート1220から取り外されうる（必要であればまたは望むならば、ポストが縦方向にいくぶん移動することを可能にすることでクラブヘッド112に対するポスト1230の係合および解放を可能にするために、ポスト1230はその縦方向にいくぶん圧縮可能であってもよく、かつ／または、圧縮可能な端部をクラウン116の近傍に設けることが可能である）。この力は、穿孔インサート1220からポスト1230をロック解除すること、および穿孔インサート1220からのポスト1230の取り外しを可能にすることができる。さらに、四分の一回転ロックまたは同様の種類の作用により、ポスト1230を穿孔インサート1220内にロックすることができる（たとえば、薬瓶または洗剤瓶の子ども用安全キャップ特徴と同様の機構などを使用することができる）。あるいは、穿孔インサート1220は、ポストを係合させる他の係合手段（たとえば、ねじ、止めねじ、または他の機械的コネクタアタッチメント、摺動アタッチメントなどによる）を含みうる。
【００５８】
本発明の別の例において、図13に示すように、クラブヘッド1310はポスト1230を含みうるものであり、ポスト1330の第一の端部1332には雄ねじ山1333があって支持体1326上の雌ねじ山1327に係合している。この例において、ポスト1230は、ポスト1330の第一の端部1332に設置される雄ねじ山1333を含みうる。さらに、支持体1326は、ポスト1330を受ける開口内に設置される雌ねじ山1327を含みうる。ポストが穿孔インサート1320に挿入されるとき、ポスト1330の第一の端部の雄ねじ山1333は、支持体1326上の雌ねじ山1327にねじ込み式で係合しうる。ポスト1330と支持体1326との間のこのねじ込み接続は、クラブヘッド1310のクラウン116を締め付けることによってゴルフボールが打球面114に接触するときにクラブヘッド1310から発せられる音を改変、最小化または除去する能力をユーザに与えうる。
【００５９】
本発明の別の例において、図14に示すように、クラブヘッド1410は、図3Bに示す場所と異なる場所に設置されるポスト1430を含みうる。図3Bにおいて、ポスト130はクラブヘッド110の略中心に設置されている。図14に示す例示的クラブヘッド1410において、ポスト1430は、打球面114側とは反対側のクラブヘッド1410の背面の近傍に設置される。さらに、本発明の他の例において、ポスト1430は、本発明を逸脱することなくクラブヘッド1410全体にわたり様々な他の場所に設置されうる。
【００６０】
さらに、図14に示す場所にポスト1430を有するクラブヘッド1410は、図3Aに示す場所にポスト130を有するクラブヘッド110と異なる、ゴルフボールが打球面114に接触するときにクラブヘッド110から発せられる音を示しうる。したがって、ユーザは、好ましい場所に設置されたポスト1430を有するクラブヘッド1410を選択的に選ぶことで、ゴルフボールが打球面114に接触するときにクラブヘッド1410から発せられる音を制御および改変することができる。クラブヘッド1410内のポスト1430の場所は、本発明を逸脱することなく変化させられうる。
【００６１】
本発明の別の例において、図15Aおよび図15Bに示すように、クラブヘッド1510は複数のポスト1530A、1530Bを含みうる。図3Bにおいて、クラブヘッド110は一つのポスト130のみを含む。図15に示す例示的クラブヘッド1510において、第一のポスト1530Aは、クラブヘッド1510の略中心に設置され、一方、第二のポスト1530Bは、打球面114側とは反対側のクラブヘッド1510の背面の近くに設置される。さらに、本発明の他の例において、第一のポスト1530Aまたは第二のポスト1530Bのいずれかは、本発明を逸脱することなくクラブヘッド1510全体にわたり様々な他の場所に設置されうる。
【００６２】
さらに、図15に示すように第一のポスト1530Aおよび第二のポスト1530Bを有するクラブヘッド1510は、図3Aに示すように単一のポスト130を有するクラブヘッド110と異なる、ゴルフボールが打球面114に接触するときにクラブヘッド110から発せられる音を示しうる。したがって、ユーザは、一つのポストまたは複数のポストのいずれかを有するクラブヘッド1510を選択的に選ぶことで、ゴルフボールが打球面114に接触するときにクラブヘッド1510から発せられる音を制御および改変することができる。クラブヘッド1510内のポスト1530A、1530Bの場所および数は、本発明を逸脱することなく変化させられうる。
【００６３】
本発明の別の例において、図16に示すように、クラブヘッド1610は複数のポスト1630A、1630B、1630Cを含みうる。図3Bにおいて、クラブヘッド110は一つのポスト130のみを含む。図16に示す例示的クラブヘッド1610において、三つのポスト1630A、1630B、1630Cはそれぞれ、打球面114側とは反対側のクラブヘッド1610の背面の近くに設置される。さらに、本発明の他の例において、三つのポスト1630A、1630B、1630Cのいずれかは、本発明を逸脱することなくクラブヘッド1610全体にわたり様々な他の場所に設置されうる。
【００６４】
さらに、図16に示すように第一のポスト1630A、第二のポスト1630Bおよび第三のポスト1630Cを有するクラブヘッド1610は、図3Aに示すように単一のポスト130を有するクラブヘッド110と異なる、ゴルフボールが打球面114に接触するときにクラブヘッド1610から発せられる音を示しうる。したがって、ユーザは、一つのポストまたは複数のポストのいずれかを有するクラブヘッド1610を選択的に選ぶことで、ゴルフボールが打球面114に接触するときにクラブヘッド1610から発せられる音を制御および改変することができる。クラブヘッド1610内のポストの場所および数は、本発明を逸脱することなく変化させられうる。
【００６５】
本開示のさらなる局面は、本開示の例のゴルフクラブ100およびゴルフクラブヘッド110を生成するための方法に関する。そのような方法は、例えば以下の一つまたは複数の工程を任意の所望の順序および／または組み合わせで含みうる。（a）クラブヘッド110を提供する工程、（b）穿孔インサート120をクラブヘッド110において規定された穿孔122に係合させる工程、および（c）ポスト130を穿孔インサート120に係合させる工程。クラブヘッド110は、クラウン部分116およびソール部分118を含みうる。ソール部分118は、そこにおいて規定されクラブヘッド110の内側に開口する穿孔122を含みうる。ポスト130は、ポストが穿孔インサート120からクラブヘッド110のクラウン部分116の内面に延びるように、穿孔インサート120に係合する。また、ポスト130は、ゴルフボールをクラブヘッド110で打つときにクラブヘッド110により生成される音の改変を可能にするように、穿孔インサート120に対して移動可能でありうる。さらに、ポスト130は外部ねじ山138を含みうるものであり、穿孔インサート120は内部ねじ山128を含みうる。ポスト130がクラブヘッドボディ112に挿入されるとき、ポストの外部ねじ山138は穿孔インサート120の内部ねじ山128に係合しうる。さらに、本発明にしたがって、かつ上記で詳細に説明したように、ゴルフボールが打球面114に接触するときにクラブヘッドボディ112から発せられる音を改変するように、クラブヘッド110、具体的にはポスト130の種々の特徴が変えられうる。さらに、本方法は（d）ホーゼル部材102においてゴルフクラブシャフト104をクラブヘッド110に係合させる工程、および／または（e）グリップ部材106をゴルフクラブシャフト104に係合させる工程を含みうる。
【００６６】
クラブヘッド110は、本開示を逸脱することなく、任意の好適なもしくは所望のやり方で、かつ／または任意の好適なもしくは所望の材料から、例えば、当技術分野において公知であり、使用される従来の材料から、かつ／または従来のやり方で、構築することができる。クラブヘッド110およびその様々なパーツは、鍛造、鋳造、成形により、かつ／または、当技術分野において慣習的であり、公知である技術およびプロセスを含む他の技術およびプロセスを使用して作製されうる。
【００６７】
ゴルフクラブ100およびクラブヘッド110の様々なパーツを任意の所望のやり方で一緒に係合させることができる。いくつかのより具体的な例として、上記の様々な「係合」工程としては、接着剤またはセメントを使用して接着すること、溶接、ろう付け、はんだ付け、または他の融着技術を使用して係合させること、機械的コネクタ（ねじ、ボルト、ナットなどの）を使用して取り付けることなどの一つまたは複数を挙げることができる。望むならば、本発明のいくつかのより具体的な例示的構造において、クラブヘッド110構造の様々なパーツを一緒に溶接することができる。
【００６８】
本発明のなおさらなる局面は、ゴルフクラブ100およびゴルフクラブヘッド110を使用して、使用中のゴルフボールに接触するときにゴルフクラブ100およびゴルフクラブヘッド110に関連する音、および／または感触の他の様相を制御するための方法に関する。たとえば、本発明の少なくともいくつかの例の方法は、（a）ソール部分118内の穿孔122と、穿孔122を通ってクラブヘッド110内に延びる穿孔インサート120とを含む、ゴルフクラブ100を提供する工程、（b）ポスト130を穿孔インサート120に係合させる工程、および（c）音を変化させるための手段（たとえば上記のような）を調整することによって、ゴルフボールが打球面114に接触するときにクラブヘッド110により発せられる音を変化させる工程を含みうる。音を変化させるための手段は、ゴルフボールが打球面114に接触するときにクラブヘッド110により発せられる音をユーザが選択的に変化させることを可能にしうる。さらに、本発明にしたがって、かつ上記で詳細に説明したように、ゴルフボールが打球面114に接触するときにクラブヘッドボディ112から発せられる音を改変するように、クラブヘッド110、具体的にはポスト130の種々の特徴が変えられうる。
【００６９】
C. 結語
本発明を実施する好ましい形態を含む具体例に関して本発明を詳細に説明したが、当業者は、上記システムおよび方法の数多くの変形および入れ替えがあることを理解するであろう。したがって、本発明の真意および範囲は、請求の範囲に述べられるように広義に解釈されるべきである。
【図１】
0005869499.tif 000002
【図２】
0005869499.tif 000003
【図３Ａ】
0005869499.tif 000004
【図３Ｂ】
0005869499.tif 000005
【図３Ｃ】
0005869499.tif 000006
【図４】
0005869499.tif 000007
【図５】
0005869499.tif 000008
【図６】
0005869499.tif 000009
【図７】
0005869499.tif 000010
【図８】
0005869499.tif 000011
【図９】
0005869499.tif 000012
【図１０】
0005869499.tif 000013
【図１１】
0005869499.tif 000014
【図１２】
0005869499.tif 000015
【図１３】
0005869499.tif 000016
【図１４】
0005869499.tif 000017
【図１５Ａ】
0005869499.tif 000018
【図１５Ｂ】
0005869499.tif 000019
【図１６】
0005869499.tif 000020